(57)【要約】      （修正有）【課題】エアフィルタ自動清掃装置を備えることを前提にして、エアフィルタの位置検出手段の簡素化を図り、組立作業性の向上化と、コストの低減化に寄与する空気調和機の室内機を提供する。【解決手段】室内空気を吸込んでエアフィルタＦに流通させ、室内空気に含まれる塵埃をエアフィルタで捕捉したうえで熱交換器と熱交換させ、熱交換空気として再び室内へ吹出すようにした空気調和機の室内機であり、複数枚のエアフィルタが間隙を存して互いに並置されるとともに、それぞれのエアフィルタが所定の軌道に沿って移動自在に支持される。これらエアフィルタ相互の間隙に、位置検出装置Ｋが設けられていて、この位置検出装置は、それぞれのエアフィルタに対応する検出子３１と、１つのスイッチ部３２を備え、複数のエアフィルタの位置検出を同時に行う。【選択図】図３
2011052908.tif 000002
【特許請求の範囲】
【請求項１】
室内空気を吸込んでエアフィルタに流通させ、室内空気に含まれる塵埃をエアフィルタで捕捉したうえで熱交換器と熱交換させ、熱交換空気として再び室内へ吹出すようにした空気調和機の室内機において、
間隙を存して互いに並置されるとともに、それぞれが所定の軌道に沿って移動自在に支持された複数枚のエアフィルタと、
これらエアフィルタ相互の間隙に設けられ、それぞれのエアフィルタに対応する検出子と、１つのスイッチ部を備え、複数のエアフィルタの位置検出を同時に行う位置検出手段と、
を具備することを特徴とする空気調和機の室内機。
【請求項２】
前記位置検出手段のスイッチ部は、前記検出子の接触／非接触にともなって動作する機構式スイッチであることを特徴とする請求項１記載の空気調和機の室内機。
【請求項３】
前記位置検出手段のスイッチ部は、前記検出子を光学的に検出する光学式スイッチであることを特徴とする請求項１記載の空気調和機の室内機。
【請求項４】
前記位置検出手段の検出子は、前記エアフィルタの数と等しい数の検出レバーを備えていて、これら検出レバーに１つの弾性体が弾性的に掛合して弾性力を付与することを特徴とする請求項２および請求項３のいずれかに記載の空気調和機の室内機。
【発明の詳細な説明】
【技術分野】
【０００１】
本発明は、エアフィルタに付着した塵埃を自動除去するエアフィルタ清掃装置を備えた空気調和機の室内機に係り、特にエアフィルタ清掃装置におけるエアフィルタの位置検出構造の改良に関する。
【背景技術】
【０００２】
空気調和機の室内機は、吸込み口に対向してエアフィルタを備えていて、このエアフィルタの後流側に熱交換器が配置される。エアフィルタは、吸込み口から吸込まれた室内空気に含まれる塵埃を濾過し、清浄空気のみが熱交換器へ導びかれる。塵埃はエアフィルタに残るので、長期の使用に亘ればエアフィルタに付着した塵埃が堆積する。
【０００３】
そのままの状態で放置すると、付着した塵埃により熱交換器に導入される風量が減少し、熱交換効率が低下してしまう。そこで［特許文献１］には、エアフィルタを室内機本体から取外すことなく、室内機本体内に配置したままで、エアフィルタに付着する塵埃を自動除去する空気調和機の室内機が開示されている。
【先行技術文献】
【特許文献】
【０００４】
【特許文献１】特開２００８−１４５０８１号公報
【発明の概要】
【発明が解決しようとする課題】
【０００５】
上述の［特許文献１］の室内機には、複数のエアフィルタを並置し、エアフィルタの自動清掃時に所定の軌道上を往復移動させる。さらに、複数の位置検出手段を備えていて、複数のエアフィルタそれぞれの位置を検出する。
【０００６】
具体的には、２枚のフィルタを並置し、これらフィルタ相互の間隙に、２本の回動部材を支持する１つの回転軸を設けるとともに、２つのスイッチを配置している。それぞれのフィルタが位置に応じて対応する回動部材に接離し、対応するスイッチがオン−オフ動作することによって、エアフィルタが所定の位置にあるか否かの判別をなしている。
【０００７】
しかしながら上述の位置検出手段は、２枚のエアフィルタに対して２つの回動部材と、２つのスイッチを備えて構成される。個々のエアフィルタに対する回動部材は必要であるが、スイッチまで同一のものを備えているので、部品数が多くなり組立性およびコストに影響を及ぼすという不具合がある。
【０００８】
本発明は前記事情にもとづきなされたものであり、その目的とするところは、エアフィルタ自動清掃装置を備えることを前提にして、エアフィルタの位置検出手段の簡素化を図り、組立作業性の向上化と、コストの低減化に寄与する空気調和機の室内機を提供しようとするものである。
【課題を解決するための手段】
【０００９】
前記目的を満足するため本発明は、室内空気を吸込んでエアフィルタに流通させ、室内空気に含まれる塵埃をエアフィルタで捕捉したうえで熱交換器と熱交換させ、熱交換空気として再び室内へ吹出すようにした空気調和機の室内機である。  
この空気調和機の室内機において、複数枚のエアフィルタが間隙を存して互いに並置されるとともに、それぞれのエアフィルタが所定の軌道に沿って移動自在に支持される。これらエアフィルタ相互の間隙に、位置検出手段が設けられる。  
位置検出手段は、それぞれのエアフィルタに対応する検出子と、１つのスイッチ部を備え、複数のエアフィルタの位置検出を同時に行う。
【発明の効果】
【００１０】
本発明によれば、エアフィルタの位置検出手段の簡素化を図り、コストの低減化に寄与する効果を奏する。
【図面の簡単な説明】
【００１１】
【図１】本発明における一実施の形態に係る、前面パネルを取外した空気調和機の室内機の縦断面。
【図２】同実施の形態に係る、前面パネルを取外した空気調和機の室内機の斜視図。
【図３】同実施の形態に係る、エアフィルタ一部と位置検出装置の斜視図。
【図４】同実施の形態に係る、位置検出装置を分解した斜視図。
【図５】同実施の形態に係る、２枚のエアフィルタとも検出範囲内にあることを検出した位置検出装置の状態図。
【図６】同実施の形態に係る、２枚のエアフィルタとも検出範囲外にあることを検出した位置検出装置の状態図。
【図７】同実施の形態に係る、１枚のエアフィルタが検出範囲内にあり、他の１枚のエアフィルタが検出範囲外にあることを検出した位置検出装置の状態図。
【図８】同実施の形態の変形例に係る、光学式検出器を用いた位置検出装置の斜視図。
【発明を実施するための形態】
【００１２】
以下、本発明の実施の形態を、図面にもとづいて説明する。  
図１は一部（前面パネル）を省略して示す空気調和機室内機の縦断面図、図２は同斜視図である。  
室内機本体１は、前面と上面および左右両側面筐体を構成するここでは図示しない前面パネルと、下面および背面筐体を構成する後本体３とからなる。室内機本体１は、上下方向寸法に対して幅方向寸法が大であり、全体的に横長状に形成される。
【００１３】
前面パネルの上面部に吸込み口が開口される。前面パネルの前面部には、開閉パネルが開閉自在に嵌め込まれていて、メンテナンス時など、開閉パネルを開放して作業を行うことができる。  
後本体３には、エアフィルタＦを支持するエアフィルタ支持枠６Ａと、熱交換器７と、室内送風機８が支持されるとともに、吹出し口９が設けられる。室内送風機８を駆動することで、室内機本体１内には、吸込み口と、吹出し口９とを連通する送風路１０が形成される。
【００１４】
吹出し口９には２枚の吹出しルーバー１１ａ，１１ｂが設けられる。これら吹出しルーバー１１ａ，１１ｂは、回動姿勢によって吹出し口９を開閉し、かつ運転条件に応じて熱交換空気の吹出し方向を設定する上下ルーバーである。  
熱交換器７は、前側熱交換器部７Ａと後側熱交換器部７Ｂとを側面視で略逆Ｖ字状に形成するよう組立てられる。前側熱交換器部７Ａは、前面パネルの前面部全体と上面部の吸込み口一部と対向するよう湾曲状に形成される。後側熱交換器部７Ｂは、直状で斜めに傾斜し吸込み口一部と対向している。
【００１５】
前記熱交換器７は、図示しない室外機に収容される圧縮機や室外熱交換器などと冷媒管を介して連通されていて、これらで冷凍サイクルが構成される。熱交換器７を構成する前後側熱交換器部７Ａ，７Ｂ相互間に、前記室内送風機８が配置される。  
室内送風機８は、室内機本体１の一側端のスペースに配置されたファンモータと、このファンモータの回転軸に連結される横流ファンとから構成される。横流ファンの軸方向長さは前記熱交換器７の幅方向長さと同一に設定され、互いに正しく対向するように配置される。
【００１６】
前側熱交換器部７Ａの下端部は前ドレンパン１２ａ上に載り、後側熱交換器部８Ｂの下端部は後ドレンパン１２ｂ上に載る。前、後ドレンパン１２ａ，１２ｂは、それぞれ後本体３に一体に成形され、熱交換器部７Ａ，７Ｂから滴下するドレン水を受けて、図示しない排水ホースを介し屋外へ排水できるようになっている。
【００１７】
前後ドレンパン１２ａ，１２ｂの一部側壁外面は室内送風機８に近接して設けられ、これらで室内送風機８の横流ファンに対するノーズを構成している。ノーズとなる前後ドレンパン１２ａ，１２ｂの側壁部分と吹出し口９の各辺部との間は、隔壁部材１３によって連結される。
【００１８】
室内送風機８を駆動することにより、隔壁部材１３で囲まれる空間が、ノーズと吹出し口９とを連通する、送風路１０における吹出し側となる。これに対して、吸込み口から熱交換器７に至る間が、送風路１０における吸込み側になる。  
エアフィルタ支持枠６Ａは、前面パネル２と熱交換器７との間に取付けられ、このエアフィルタ支持枠６Ａの下端部に沿って、エアフィルタ清掃装置Ｓを支持する清掃装置支持枠６Ｂが一体に設けられる。
【００１９】
さらに、前記エアフィルタ支持枠６Ａの前面部は、前面パネルの前面部と対向するとともに、前側熱交換器部７Ａ前面と間隙を存して曲成される。上面部は、前面パネルの上面部（吸込み口）と対向し、後側熱交換器部７Ｂ上面と間隙を存して対向する。このエアフィルタ支持枠６Ａに支持される前記エアフィルタＦも、同様の姿勢形状をなす。
【００２０】
エアフィルタ清掃装置Ｓは、エアフィルタ支持枠６Ａと吹出し口９に設けられる上部側吹出しルーバー１１ａとの間に沿って介設される。前面パネルが取付けられた状態で、清掃装置支持枠６Ｂおよびエアフィルタ清掃装置Ｓとも前面パネルにより遮蔽され外部から見えない。
【００２１】
前記エアフィルタ支持枠６Ａは、前面枠体１４ａと後面枠体１４ｂとを間隙を存して重ね合せた状態で構成される。前面枠体１４ａと後面枠体１４ｂのそれぞれは、左右両側部と中央部の縦桟と、これら縦桟の後端部と前端部を連結する横桟と、これら縦桟と横桟との間に矩形状に組込まれる補助桟とを備えている。
【００２２】
さらに、前面枠体１４ａの縦桟と後面枠体１４ｂの縦桟との間には、仕切りガイド桟１４ｃが設けられる。この仕切りガイド桟１４ｃにより、前面枠体１４ａと仕切りガイド桟１４ｃとの間と、仕切りガイド桟１４ｃと後面枠体１４ｂとの間のそれぞれに、空間スペースが確保される。
【００２３】
前面枠体１４ａの下端部は、清掃装置支持枠６Ｂの前端部と連結され、後面枠体１４ｂの下端部は清掃装置支持枠６Ｂの後端部と連結される。前面枠体１４ａと後面枠体１４ｂの下端部相互間は、これらの上端部相互間に比較して広い間隔を存して形成される。  
仕切りガイド桟１４ｃは、上端部が板厚のみであり、下端部は断面三角袋状に形成される。このことにより、仕切りガイド桟１４ｃの上端部から下端部に亘って、仕切りガイド桟１４ｃに対する前面枠体１４ａと後面枠体１４ｂとの間隔は全て同一に設定される。
【００２４】
エアフィルタＦの左右幅寸法は、エアフィルタ支持枠６Ａを構成する左側部もしくは右側部の縦桟と中央部の縦桟ａとの間の寸法と一致し、エアフィルタＦの上下端部間寸法は、エアフィルタ支持枠６Ａを構成する前端部横桟と後端部横桟との間の寸法と一致するように形成される。
【００２５】
エアフィルタ支持枠６Ａには、間隙を存して左右に並んだ状態で、複数枚（２枚）の前記エアフィルタＦが支持される。なお説明すると、各エアフィルタＦは、エアフィルタＦに対する自動清掃時以外の通常の状態である、空調運転時と運転停止時において、前面枠体１４ａと仕切りガイド桟１４ｃとの間の空間スペースに収容支持される。
【００２６】
この状態で各エアフィルタＦの上端部は、前面枠体１４ａと仕切りガイド桟１４ｃの上端部に沿って位置している。そして、エアフィルタＦ相互の間隙に配置される位置検出装置（位置検出手段）によって、それぞれのエアフィルタＦが正規の位置にあるか否かの検出がなされている。
【００２７】
図３は、所定の空間スペースに収容支持される各エアフィルタＦ上端部と、これらエアフィルタＦ相互間に介在される位置検出装置（位置検出手段）Ｋの斜視図。図４は、位置検出装置Ｋを分解した斜視図である。  
上述したように、２枚のエアフィルタＦが左右に間隙を存して並んだ状態で所定の空間スペースに収容される一方で、これらエアフィルタＦ相互の間隙に１つの位置検出装置Ｋが備えられる。
【００２８】
ここで位置検出装置Ｋは、所定のタイミングで、両方のエアフィルタＦもしくは、いずれか一方のエアフィルタＦが所定の位置に無いことを検出した場合は、たとえば点滅表示や警報等、ユーザに対して何らかの警告をなす。同タイミングで、両方のエアフィルタＦが所定の位置に有ることを検出した場合には、何らの報知もしないように構成される。
【００２９】
具体的には、位置検出装置Ｋは、上部側基体３０Ａと下部側基体３０Ｂとが着脱自在に組合されて装置基体３０となし、これら上部側基体３０Ａと下部側基体３０Ｂとの間に、検出子３１と、スイッチ部３２が介在される。検出子３１の一部は装置基体３０から突出し、残り一部はスイッチ部３２とともに装置基体３０内に収容される。
【００３０】
なお説明すると、上部側基体３０Ａと下部側基体３０Ｂともに、幅方向寸法と比較して長手方向寸法の長い略矩形状に形成され、所定の板厚を有する。下部側基体３０Ｂの両側部には凹部３４が設けられ、この凹部３４に上部側基体３０Ａの両側部に突設される抱持部３５が着脱自在に掛合して、所定板厚で短冊状の装置基体３０となる。
【００３１】
前記検出子３１は、１つの弾性体であるねじりばね３６と、このねじりばね３６の両端部が掛止する溝部ｂを備え、ねじりばね３６によって弾性力を受ける第１の検出レバー３７Ａと第２の検出レバー３７Ｂおよび、これら第１、第２の検出レバー３７Ａ，３７Ｂの後端部が接離するスライダ３８とから構成される。
【００３２】
上部側基体３０Ａの一側部下面に軸部４０が突設されていて、この軸部４０が、ねじりばね３６を介在した第１の検出レバー３７Ａと第２の検出レバー３７Ｂに設けられる孔部ｄと、ねじりばね３６の巻き部に挿入されるとともに、下部側基体３０Ｂの一側部に設けられる掛止用孔ｅに掛合される。
【００３３】
この状態で第１の検出レバー３７Ａと第２の検出レバー３７Ｂは、一端部が装置基体３０から突出し、上部側基体３０Ａの軸部４０を支点として回動自在である。ただし、ねじりばね３６によって、各検出レバー３７Ａ，３７Ｂの先端部が互いに離間する方向に弾性力を受けていて、たとえば、はさみの先が開いたのと略同様形状をなす。
【００３４】
上部側基体３０Ａの軸部４０近傍部位には、基体３０Ａの幅方向に沿ってストッパ溝部４１が設けられ、第１の検出レバー３７Ａの上面部に設けられる突部４２が掛合する。また、下部側基体３０Ｂの掛止用孔ｅ近傍部位にも、幅方向とは直交する方向にストッパ溝部４４が設けられ、第２の検出レバー３７Ｂの下面部に設けられる突部４５が掛合する。
【００３５】
したがって、第１の検出レバー３７Ａと第２の検出レバー３７Ｂは、上部側基体３０Ａと下部側基体３０Ｂに設けられるストッパ溝部４１，４４の幅寸法範囲内で回動自在である。
【００３６】
それぞれのストッパ溝部４１，４４の幅寸法は極く短いが、上部側基体３０Ａの軸部４０が挿入する孔部ｄ，ｅから第１、第２の検出レバー３７Ａ，３７Ｂの先端部までの距離が長いので、各検出レバー３７Ａ，３７Ｂ先端部の回動角度は、ある程度大きく確保されることになる。
【００３７】
前記スライダ３８は、上部側基体３０Ａの抱持部３５相互間に設けられるスライダ用溝４７と、下部側基体３０Ｂの凹部３４相互間に設けられるスライダ用溝４８とにスライド自在に掛合する突片部４９を備えている。各スライダ用溝４８は上下部側基体３０Ａ，３０Ｂの長手方向に沿って設けられていて、この方向にスライダ３８が移動可能である。
【００３８】
そして、スライダ３８の第１、第２の検出レバー３７Ａ，３７Ｂと対向する端面には略三角状に突出する突部５０が設けられていて、各検出レバー３７Ａ，３７Ｂ先端部の開閉状態によっては、検出レバー３７Ａ，３７Ｂの後端部が接離自在に組立てられる。  
すなわち、ねじりばね３６の弾性力を受けて各検出レバー３７Ａ，３７Ｂの先端部が開いた状態にあるとき、検出レバー３７Ａ，３７Ｂの後端部はスライダ３８の突部５０に接触し、スライダ３８を移動付勢する。
【００３９】
また、ねじりばね３６の弾性力に抗して各検出レバー３７Ａ，３７Ｂの先端部が閉じた状態にあるとき、検出レバー３７Ａ，３７Ｂの後端部はスライダ３８の突部５０から離間し、よってスライダ３８に移動付勢力を付与しない。  
前記スイッチ部３２は、一側面に検出ボタンである作動子ｃが突設されるマイクロスイッチである。スライダ３８と隣接するよう下部側基体３０Ｂに取付け具を介して取付け固定され、上部側基体３０Ａに覆われる。
【００４０】
スライダ３８が最もスイッチ部３２と離間した位置にあるとき、スイッチ部３２の作動子ｃは押圧されず、オフ状態にある。スライダ３８が最もスイッチ部３２に接近した位置にあるとき、スイッチ部３２の作動子ｃがスライダ３８によって押圧され、オン信号を制御部へ送るようになっている。
【００４１】
再び図１および図２に示すように、各エアフィルタＦの縦桟部裏面に全長に亘って歯部が設けられ、タイミングベルト状をなす。この歯部がエアフィルタ清掃装置Ｓを構成するエアフィルタ送りギヤ１５に噛合する。エアフィルタ送りギヤ１５は、エアフィルタ清掃装置Ｓを構成する塵埃押上げブラシ１６の軸方向に沿い所定間隔を存して設けられる。
【００４２】
前記清掃装置支持枠６Ｂには、塵埃押上げブラシ１６の回転軸１６ａを軸支する軸受け部が設けられるとともに、エアフィルタ清掃装置Ｓを構成するダストボックス２０が着脱自在に取付けられる。
【００４３】
さらに、清掃装置支持枠６Ｂ側面部に４個の駆動モータＭが取付けられる。上部２個の駆動モータＭがギヤ組立を介して塵埃押上げブラシ１６の回転軸１６ａに連結され、下部２個の駆動モータＭがギヤ組立を介してエアフィルタ清掃装置Ｓを構成する塵埃除去用ブレード１８の回転軸１８ａに連結される。
【００４４】
エアフィルタ送りギヤ１５と塵埃押上げブラシ１６の回転軸１６ａが同軸であるので、前記回転軸１６ａに連結される駆動モータＭは、エアフィルタ送りギヤ１５の駆動源を兼用する。塵埃押上げブラシ１６と各エアフィルタ送りギヤ１５は同時に回転駆動され、２枚のエアフィルタＦは同時に移動させられるようになっている。
【００４５】
つぎに、上述のようにして構成される空気調和機の室内機の作用について説明する。  
冷房運転もしくは暖房運転等の空調運転開始の信号が制御部に入ると、室外機に配置される圧縮機に駆動信号が送られて冷凍サイクル運転が開始され、同時に室内送風機８に駆動信号が送られる。
【００４６】
室内空気は吸込み口から室内機本体１内に吸込まれ、吸込み側の送風路１０に沿って導かれる。はじめにエアフィルタＦを流通し、室内空気に含まれる塵埃は捕捉される。濾過され清浄化した室内空気は、熱交換器７を構成する前側熱交換器部７Ａと後側熱交換器部７Ｂに導かれる。
【００４７】
熱交換器７と室内空気は熱交換をなし、冷房運転モードが選択されていれば、室内空気は冷気となり、暖房運転モードが選択されていれば暖気に変る。熱交換空気は吹出し側の送風路１０に沿って導かれ、吹出し口９から吹出しルーバー１１ａ，１１ｂに案内されて室内へ吹出される。
【００４８】
冷気が室内に吹出されることにより室内温度が低下し、冷房作用をなす。暖気が室内に吹出されることにより室内温度が上昇し、暖房作用をなす。いずれにしても、室内機本体１内に吸込まれた室内空気はエアフィルタＦを流通する際に、室内空気に含まれる塵埃が捕捉され、常に清浄化した熱交換空気が室内に吹出されて、室内の清浄化をなす。
【００４９】
長期の使用に亘れば、エアフィルタＦに捕捉された塵埃が厚く積もり、目詰まりが生じる。そのまま放置すれば熱交換効率が低下して、冷房能力と暖房能力に影響が生じる。そこで、ユーザは空調運転に先立ち、もしくは空調運転の終了後に、リモコン（遠隔操作盤）に設けられる、「エアフィルタお掃除ボタン」を押す。
【００５０】
この信号が制御部に入ると、エアフィルタ清掃装置Ｓに備えられる駆動モータＭに駆動信号が送られる。エアフィルタ送りギヤ１５とエアフィルタ押上げブラシ１６が一体に反時計回り方向に回転駆動されるとともに、塵埃除去用ブレード１８が時計回り方向に回転駆動される。
【００５１】
左右に並んで室内空気を濾過していた２枚のエアフィルタＦは、そのままの状態で前面枠体１４ａと仕切りガイド桟１４ｃとの間から、下端部が先頭になってＵターン状に移動する。そして、２枚のエアフィルタＦは同時に仕切りガイド桟１４ｃと後面枠体１４ｂとの間に上昇移動して行く。
【００５２】
エアフィルタ押上げブラシ１６のブラシ毛の太さとエアフィルタＦのフィルタ孔直径の関係から、エアフィルタ押上げブラシ１６のブラシ毛はエアフィルタＦのフィルタ孔に確実に挿入する。エアフィルタＦのフィルタ孔に詰まっていた塵埃は、エアフィルタ押上げブラシ１６のブラシ毛によってフィルタ孔から押上げられる。
【００５３】
エアフィルタ押上げブラシ１６はエアフィルタＦの熱交換空気導出側である２次側に配置されているので、ブラシ毛によって塵埃は熱交換空気導入側である１次側へ押し出される。１次側には塵埃除去用ブレード１８が配置されていて、塵埃は塵埃除去用ブレード１８に向って押し上げられる。
【００５４】
塵埃除去用ブレード１８は比較的簡素な構造でありながら、１次側に浮いた塵埃をエアフィルタＦから確実に除去する。しかも塵埃除去用ブレード１８は回転体であるので、エアフィルタ押上げブラシ１６によって押上げられる塵埃を連続して除去する。  
エアフィルタＦが移動して全長に亘って仕切りガイド桟１４ｃと後面枠体１４ｂとの間の空間スペースに納まったら、制御部は駆動モータＭに停止信号を送る。エアフィルタＦの移動を一旦停止させたあと、タイミングをとって再び駆動モータＭに反転駆動信号を送る。
【００５５】
エアフィルタ送りギヤ１５およびエアフィルタ押上げブラシ１６と、塵埃除去用ブレード１８は反方向に回転駆動される。エアフィルタＦは再び移動して、エアフィルタ押上げブラシ１６と塵埃除去用ブレード１８との間を通過し、元の前面枠体１４ａと仕切りガイド桟１４ｃとの間の空間スペースに戻る。
【００５６】
このときも、エアフィルタＦのフィルタ孔に残留していた塵埃が、エアフィルタ押上げブラシ１６によって１次側に押上げられ、塵埃除去用ブレード１８によって完全に除去される。塵埃除去用ブレード１８がエアフィルタＦから除去した塵埃は、ダストボックス２０内の塵埃収容部２８に貯留される。
【００５７】
「エアフィルタお掃除ボタン」を複数回押し、エアフィルタＦを清掃することで、塵埃収容部２８内の塵埃はほぼ満杯状態になる。そこで、ダストボックス２０をエアフィルタ清掃装置Ｓから取外し、内部の塵埃を廃棄する。
【００５８】
つぎに、エアフィルタＦの位置を検出する位置検出装置Ｋの作用について説明する。  
先に図３で説明した空調運転時と運転停止時における位置検出装置Ｋから上部側基体３０Ａを取外した状態を、図５に示している。
【００５９】
左右のエアフィルタＦが所定の位置にあるとき、第１の検出レバー３７Ａと第２の検出レバー３７Ｂは、それぞれの先端部がエアフィルタＦの側端部に当接する。上述したように、１つのねじりばね３６が２つの検出レバー３７Ａ，３７Ｂに弾性力を付与しているので、本来であれば各検出レバーの先端部３７Ａ，３７Ｂが開いた状態にある。
【００６０】
しかるに、ここでは位置検出装置Ｋの左右両側にエアフィルタＦが並置され、第１の検出レバー３７Ａと第２の検出レバー３７Ｂの先端部が接触している。第１、第２の検出レバー３７Ａ，３７Ｂははねじりばね３６の弾性力に抗して回動変位し、先端部相互が閉じた状態となっている。
【００６１】
各検出レバー３７Ａ，３７Ｂのスライダ３８と対向する後端部は、互いに開いた状態となり、スライダ３８の突部５０から離間している。各検出レバー３７Ａ，３７Ｂのスライダ３８に対する押圧付勢力が存在せず、したがってスイッチ部３２の作動子ｃが押圧されずにオフの状態を保持する。  
制御部は、スイッチ部３２からの検知信号を受信しないところから、正規の位置に２枚のエアフィルタＦが存在していることを確認し、何らの処置も施さない。
【００６２】
リモコンの「エアフィルタお掃除ボタン」が押されると、制御部は上述したようにエアフィルタ清掃装置Ｓを作動させ、エアフィルタの自動清掃が行われる。このとき、エアフィルタＦは図５の位置から同時に、図の下方向へ移動走行させられる。所定位置まで走行して一旦停止したあと、図の上方向へ移動走行してきて、図５の位置に再び戻る。
【００６３】
しかしながら、このようなエアフィルタＦの自動清掃時に何らかのトラブルが発生し、エアフィルタＦが途中で止まってしまい、図５の位置に再び戻らない場合もあり得る。このときは図６に示すように、エアフィルタＦと、位置検出装置Ｋの第１の検出レバー３７Ａおよび第２の検出レバー３７Ｂとが互いに開いた状態になる。
【００６４】
すなわち、第１の検出レバー３７Ａと第２の検出レバー３７Ｂには、前記ねじりばね３６の弾性力がそのまま付与され、これらの先端部は互いに開く。逆に、各検出レバー３７Ａ，３７Ｂの後端部は、互いに閉じた状態となり、スライダ３８の突部ｃに接触して押圧する。
【００６５】
よって、スライダ３８は移動してスイッチ部３２の作動子ｃを押圧し、スイッチ部３２から制御部へオン信号が送られる。制御部では、たとえば赤ランプ（ＬＥＤ）の点滅表示などの警告を表示して、ユーザに報知する。警告を受けたユーザは開閉パネルを開放してエアフィルタＦの位置ズレを確認し、図５に示す元の位置に戻す必要がある。
【００６６】
位置検出装置Ｋは再びエアフィルタＦを検出し、警告表示は解消される。エアフィルタＦの位置がずれたままで空調運転を再開すれば、室内空気に含まれる塵埃がそのまま熱交換器７を流通し、熱交換空気とともに室内へ吹出されてしまうが、ここでは正規の位置にエアフィルタＦが戻されているので、空調運転を再開しても何らの支障もない。
【００６７】
本来、２枚のエアフィルタＦが同時に走行移動するよう構成されているが、トラブルの種類によっては、１枚のエアフィルタＦのみが正常に走行移動し、他のエアフィルタＦはトラブル発生により途中で停止する場合もあり得る。
【００６８】
たとえば、図７に示すように、図の左側のエアフィルタＦが正常に走行移動して元の位置に戻るが、図の右側のエアフィルタＦにトラブルが発生して途中で停止する。位置検出装置Ｋにおいて、第１の検出レバー３７Ａの先端部は正規の位置に戻ったエアフィルタＦに接触し、この後端部はスライダ３８とは離間して、スイッチ部３２はオフとなる。
【００６９】
しかしながら、第２の検出レバー３７Ｂは、トラブルがあって正規の位置に戻ってこないエアフィルタＦに接触することができない。したがって、第２の検出レバー３７Ｂの後端部はスライダ３８の突部５０に接触して押圧する。スライダ３８を介してスイッチ部３２の作動子ｃが押圧され、制御部へオン信号を送る。
【００７０】
結局、スイッチ部３２においては先に図６で説明した状態と同一となり、制御部は警告を表示する。これを受けたユーザはエアフィルタＦの位置を確認して、図５に示す元の位置に戻す。したがって、位置検出装置Ｋは両方のエアフィルタＦを検出することとなり、警告表示は解消される。
【００７１】
このように、同時に走行移動する２枚のエアフィルタＦについて、同時にトラブルに会う場合ばかりでなく、いずれか一方のエアフィルタＦのみがトラブルに会った場合についても、位置検出装置Ｋは確実に検出可能である。  
しかも、複数のエアフィルタＦに対応する検出子３１と、１つのスイッチ部３２を備えた１つの位置検出装置Ｋであり、複数のエアフィルタＦの位置検出を同時に行うので、位置検出構造の簡素化を図ることができ、組立作業性の向上化と、コストの低減化に寄与する。
【００７２】
上記実施の形態では、検出子３１は、第１、第２の検出レバー３７Ａ，３７Ｂ、ねじりばね３６、スライダ３８とから構成し、スイッチ部３２は検出レバー３７Ａ，３７Ｂの接触／非接触にともなって動作する機構式スイッチを備えた。この種のスイッチは塵埃が多少付着してもほとんど影響を受けることなく確実に動作し、信頼性を高く保持できる。
【００７３】
なお、これに限定されるものではなく、図８に示すような位置検出装置Ｋａであってもよい。図８は、変形例としての位置検出装置Ｋａの概略構成を示す斜視図である。  
ここで用いられるスイッチ部３２Ａは、発光部ｇと受光部ｈとを、互いに間隙を存して備えた光学式スイッチである。検出子３１ａとしては、第１の検出レバー３７Ａと、第２の検出レバー３７Ｂと、これら検出レバー３７Ａ，３７Ｂ間に介在される１つの弾性体であるねじりばね（図示せず）とから構成され、先に説明したスライダは不要となる。
【００７４】
第１の検出レバー３７Ａおよび第２の検出レバー３７Ｂの先端部がエアフィルタＦと接触したとき、各検出レバー３７Ａ，３７Ｂの後端部は光学式スイッチ３２Ａを構成する発光部ｇと受光部ｈとの間に位置し、発光部ｇから発光された光を遮る。よって、光学式スイッチ３２Ａからオフ信号が制御部へ送られる。
【００７５】
各検出レバー３７Ａ，３７ＢがエアフィルタＦと接触しない状態では、各検出レバー３７Ａ，３７Ｂの後端部は光学式スイッチ３２Ａから離間した位置にあり、発光部ｇからの光はそのまま受光部ｈが受光する。よって、光学式スイッチ３２Ａからオン信号が制御部へ送られる。いずれも、あとの処置は先に説明した通りである。
【００７６】
この種の光学式スイッチ３２Ａの場合は、発光部ｇと受光部ｈのいずれにも塵埃の付着があると動作の信頼性を損なう虞れがあるので、塵埃の付着を妨げる工夫が必要である。ただし、機構式スイッチ３２の検出子３１を構成するスライダ３８は不要となり、構造のシンプル化を図ることができる。
【００７７】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【符号の説明】
【００７８】
Ｆ…エアフィルタ、７…熱交換器、３１…検出子、３２…スイッチ部（機構式スイッチ）、Ｋ…位置検出装置、３２ａ…光学式スイッチ、３７Ａ…第１の検出レバー、３７Ｂ…第２の検出レバー、３６…ねじりばね（弾性体）。
【図１】
2011052908.tif 000003
【図２】
2011052908.tif 000004
【図３】
2011052908.tif 000005
【図４】
2011052908.tif 000006
【図５】
2011052908.tif 000007
【図６】
2011052908.tif 000008
【図７】
2011052908.tif 000009
【図８】
2011052908.tif 000010